(57)【要約】本発明は、処理槽内に保持された懸濁液、特に、排水、活性汚泥などに通気するデバイスであって、縦スパー（１）と、圧縮散気装置（３）とを有するフレームを備え、圧縮散気装置（３）のハウジング（Ｇ）が、散気装置ライン（５）を接続するための複数の第１の接続片（４）と、空気供給ラインを接続するための第２の接続片（６）とを有し、ハウジング（Ｇ）が、第１の接続片（４）の第１の軸が縦スパー（１）を含む平面にほぼ平行に走るようにフレームに固定されたデバイスに関する。アセンブリを簡素化するために、第２の接続片の第２の軸が平面と３０°乃至６０°の角度を形成することが提案されている。
2013522017.tif 000002
【特許請求の範囲】
【請求項１】
処理槽内に保持された懸濁液、特に、排水、活性汚泥などに通気するデバイスであって、
縦スパー（１）と、
加圧空気マニホールド（３）であって、該加圧空気マニホールド（３）のハウジング（Ｇ）が散気装置ライン（５）を接続するための複数の第１の接続ソケット（４）と、空気供給ラインを接続するための第２の接続ソケット（６）とを有する加圧空気マニホールド（３）と
を有するフレームを備え、
前記ハウジング（Ｇ）が、前記第１の接続ソケット（４）の第１の軸が前記縦スパー（１）を含む平面にほぼ平行に走るように前記フレームに固定され、
前記第２の接続ソケットの第２の軸が前記平面と３０°乃至６０°の角度を形成する、デバイス。
【請求項２】
前記第２の接続ソケット（６）の第２の軸が、前記平面と約４５°の角度を形成する、請求項１に記載のデバイス。
【請求項３】
前記ハウジング（Ｇ）が、接続要素（１０）と、カバー（１１）とから形成される、前記請求項のいずれか１項に記載のデバイス。
【請求項４】
前記接続要素（１０）が、ベースプレート（１２）と、該ベースプレート（１２）の第１の長辺から実質的に垂直に延在する接続壁部（１３）と、前記ベースプレート（１２）の短辺から実質的に垂直に延在する２つの横壁部（１６）とを備える、前記請求項のいずれか１項に記載のデバイス。
【請求項５】
前記第１の接続ソケット（４）が、前記接続壁部（１３）に装着された接続片から形成される、前記請求項のいずれか１項に記載のデバイス。
【請求項６】
前記ベースプレート（１２）より先に延在する締結部（１７）が、前記横壁部（１６）上に提供された、前記請求項のいずれか１項に記載のデバイス。
【請求項７】
好ましくはリベットを固定する開口部（１８）を有する前記締結部（１７）が、前記横壁部（１６）と一体化した構造として形成される、前記請求項のいずれか１項に記載のデバイス。
【請求項８】
前記横壁部（１６）が、ベースプレート（１２）と接続壁部（１３）とに溶接された、前記請求項のいずれか１項に記載のデバイス。
【請求項９】
第１の支持体ウェブ（１９）が、３０°乃至６０°、好ましくは４５°の角度をなして前記ベースプレート（１２）の第２の長辺から延在する、前記請求項のいずれか１項に記載のデバイス。
【請求項１０】
前記接続壁部（１３）の第３の長辺から前記ベースプレート（１２）に実質的に平行に走るカバープレート（１４）が延在する、前記請求項のいずれか１項に記載のデバイス。
【請求項１１】
前記接続壁部（１３）の第３の長辺又は前記カバープレート（１４）の第４の長辺から第２の支持体ウェブ（２０）が前記第１の支持体ウェブ（１９）へ向かって３０°乃至６０°、好ましくは４５°の角度をなして延在する、前記請求項のいずれか１項に記載のデバイス。
【請求項１２】
第３の支持体ウェブ（２１）が前記横壁部（１６）から実質的に垂直に延在し、前記第３の支持体ウェブ（２１）が前記第１（１９）及び前記第２の支持体ウェブ（２０）に隣接する、前記請求項のいずれか１項に記載のデバイス。
【請求項１３】
前記カバー（１１）が、気密リベットなどによって前記接続要素（１０）に装着され、及び／又は前記支持体ウェブ（１９，２０，２１）と前記カバー（１１）との間の周縁部に提供されたシーラントを用いて装着された、前記請求項のいずれか１項に記載のデバイス。
【請求項１４】
前記カバー（１１）が、前記ベースプレート（１２）に対して３０°乃至６０°、好ましくは４５°の角度を形成する、前記請求項のいずれか１項に記載のデバイス。
【請求項１５】
前記第２の接続ソケット（６）が、前記カバー（１１）に装着された、前記請求項のいずれか１項に記載のデバイス。
【請求項１６】
前記第２の接続ソケットが、ねじ、好ましくは雌ねじを有する、前記請求項のいずれか１項に記載のデバイス。
【請求項１７】
３０°乃至６０°、好ましくは４５°の角度をなす管接続片（７）が、前記第２の接続ソケット（６）に装着された、前記請求項のいずれか１項に記載のデバイス。
【発明の詳細な説明】
【技術分野】
【０００１】
本発明は、請求項１のプレアンブルに記載の処理槽内に保持された懸濁液、特に、排水、活性汚泥などに通気するデバイスに関する。
【背景技術】
【０００２】
上記デバイスは、Invent Umwelt-und Verfahrenstechnik GmbH & CO. KG, D-91058
Erlangenから発行されたパンフレット「Ｅ−ＦＬＥＸ（登録商標）−Ｂｅｌｕｅｆｔｕｎｇｓ−ｓｙｓｔｅｍ」、Ｎｏ．ＥＦ  ３０００  ６．０３−２  Ｄから知られている。
【０００３】
既知のデバイスでは、フレームの縦スパーは、複数の横スパーにより相互接続されている。縦スパーの一端で、別の横スパーの形に構成された加圧空気マニホールドが装着されている。加圧空気マニホールドは、実質的に気密に構成され、その上に散気装置ラインを接続する複数の第１の接続ソケットと、空気供給ラインを接続する第２の接続ソケットとが提供されている。ハウジングは、第１の接続ソケットの第１の軸が縦スパーを含む平面にほぼ平行に走るようにフレームに固定されている。これは、第１の端部で第１の接続ソケットに接続された散気装置ラインが縦スパーにほぼ平行に走っていることを意味する。普通、有孔管から形成される散気装置ラインは、圧力マニホールドの反対側に提供され、別の横スパーの形で同様に構成された保持治具まで延在し、第２の端部でそこに固定される。
【０００４】
従来のデバイスが処理槽の縁部に配置された場合、第２の接続ソケットに装着されている空気供給ラインが前記処理槽の壁部にほぼ垂直に処理槽から突き出るように、第２の接続ソケットの第２の軸は、第１の接続ソケットの第１の軸に実質的に垂直に延在する。デバイスが処理槽の中央に提供されている場合、空気供給ラインは、槽の底部に沿って這わせる。この例では、第２の接続ソケットは、その第２の軸が第１の接続ソケットの第１の軸に実質的に平行に走るように装着されている。したがって、従来のデバイスでは、圧力マニホールドの２つの異なる変形形態を準備する必要がある。
【０００５】
従来のマニホールドのハウジングは、その一方の側壁部に、第１の接続ソケットを形成する接続片を実装する複数の開口部が提供される角パイプから実質的に形成される。各々の接続片はハウジング内部から開口部を通して特殊なツールによって供給され、その後ねじナットで固定される。全般的に、従来の加圧空気マニホールドの製造は、時間がかかりコスト高である。
【発明の概要】
【発明が解決しようとする課題】
【０００６】
本発明の目的は、従来の欠点を解消することである。特に、簡単でコスト効率が高い方法で生産できる処理槽内に保持された懸濁液に通気するデバイスを提供しなければならない。本発明の別の目的によれば、デバイスは、可能な最も汎用的な方法で使用できなければならない。
【課題を解決するための手段】
【０００７】
この目的は、請求項１の特徴によって達成できる。本発明の好適な実施形態は、請求項２乃至１７の特徴から派生する。
【０００８】
本発明によれば、第２の接続ソケットの第２の軸は、平面と３０°乃至６０°の角度をなす。第２の接続ソケットの第２の軸は平面に対して斜めに走っているため、第２の接続ソケットに角度が付いた管接続片を平面に対して実質的に平行に、また実質的に垂直に接続することで空気供給ラインの接続が可能になる。したがって、同じデバイスを用いて、両方の変形形態を実施できる。この目的のために２つの異なる圧力マニホールドを生産する必要はない。提案されたデバイスは、汎用的で、簡単かつコスト効率が高い方法で生産できる。
【０００９】
本発明の特に有利な実施形態では、第２の接続ソケットの第２の軸は、平面と約４５°の角度をなす。したがって、単一の角度が付いた管接続片、すなわち、４５°の角度が付いた管接続片との組み合わせによって、空気供給ラインの接続の変形形態を実施できる。
【００１０】
別の有利な実施形態によれば、ハウジングは、接続要素とカバーとから形成される。接続要素は、便宜的に、ベースプレートと、ベースプレートの第１の長辺から実質的に垂直に延在する接続壁部と、ベースプレートの短辺から実質的に垂直に延在する２つの横壁部とを備える。第１の接続ソケットは、有利には接続壁部に装着された接続片から形成される。このために、接続壁部は、接続片の各々を接続する接続片開口部を有してもよい。接続片は、例えば、射出成形プラスチック製であってもよい。ハウジングはカバーを有するため、接続片の組み立ては大幅に簡素化できる。この目的のために特別のツールを提供する必要はない。
【００１１】
本発明の別の有利な実施形態によれば、ベースプレートを超えて延在する固定部が横壁部上に提供される。好ましくは、リベットを固定する開口部を有する固定部は、横壁部と一体化した構造として形成できる。さらに、横壁部は、有利には、ベースプレートと接続プレートとに溶接されている。したがって、固定部を別に製造し固定する必要はない。それ故、デバイスの製造は大幅に簡素化できる。
【００１２】
本発明の別の実施形態によれば、第１の支持体ウェブが３０°乃至６０°、好ましくは４５°の角度をなしてベースプレートの第２の長辺から延在する。接続壁部の第３の長辺からベースプレートに実質的に平行に走るカバープレートが延在できる。接続壁部の第３の長辺又はカバープレートの第４の長辺から第２の支持体ウェブが第１の支持体ウェブへ向かって３０°乃至６０°、好ましくは４５°の角度をなして延在できる。さらに、第３の支持体ウェブが横壁部から実質的に垂直に延在し、第１及び第２の支持体ウェブに隣接する。支持体ウェブを提供することでカバーを簡単にかつ気密に固定することができる。カバーは、例えば気密リベットなどによって接続要素、特に支持体ウェブに装着でき、及び／又は支持体ウェブとカバーとの間の周縁部に提供されたシーラントを用いて装着できる。この場合、カバーは、ベースプレートに対して３０°乃至６０°、好ましくは４５°の角度を形成する。
【００１３】
有利には、第２の接続ソケットがカバーに装着されている。前記第２の接続ソケットは、ねじ、好ましくは雌ねじを有する。空気供給ラインの２つの接続変形形態を実施するため、３０°乃至６０°、好ましくは４５°の角度をなす管接続片が第２の接続ソケットに装着されている。角度が付いた管接続片の角度は、第２の接続ソケットの第２の軸の角度と共に、それらが有利には互いを９０°又は０°に補完するように選択される。第２の接続ソケットに対する異なる向きに管接続片を固定することで、空気供給ラインを平面に対して垂直に、又は平行に設置することができる。
【００１４】
本発明の例示的実施形態を以下の図面で詳細に示す。
【図面の簡単な説明】
【００１５】
【図１】デバイスの分解図である。
【図２】接続要素の部分斜視図である。
【図３】加圧空気マニホールドの部分斜視図である。
【図４】図３の断面線Ａ−Ａ’に沿った断面図である。
【図５】加圧空気マニホールドの別の斜視図である。
【発明を実施するための形態】
【００１６】
図１に示すデバイスで、矩形のフレームは、２つの縦スパー１と、２つの縦スパー１を相互接続する複数の横スパー２とを備える。フレームの第１の横方向の辺は、加圧空気マニホールド３によって形成される。縦スパー１は、その端部の一方で加圧空気マニホールド３の両辺に固定される。加圧空気マニホールド３は、その第１の端部に散気装置ライン５が装着された複数の第１の接続ソケット４を有する。第１の接続ソケット４の第１の軸は平行であり、縦スパー１上にあるか又は縦スパー１を含む平面にも平行に走っている。第２の接続ソケットは、参照番号６で示されている。第２の接続ソケット６の第２の軸は、平面と４５°の角度をなす。４５°の角度が付いた管接続片７を第２の接続ソケット６に接続できる。散気装置ライン５の第２の端部は、保持治具８上に提供されたダミーソケットに固定される。前記保持治具８は、フレームの第２の横方向の辺を形成する。縦スパー１は、他方の端部で保持治具８の両側に固定されている。
【００１７】
加圧空気マニホールド３又は保持治具８にほぼ平行に走る横スパー２上に押さえ９が装着され、それによって、散気装置ライン５が横スパー２上に保持される。散気装置ライン５は、例えばＥＰＤＭゴム製であってもよい。第１の接続ソケット４及びダミーソケット（ここでは詳細に図示しない）は、例えば、ファイバ強化ポリプロピレン製ソケットであってもよい。散気装置ライン５は、周囲の汚水（図示せず）内に空気を排出する開口部、例えばスロットを有する。
【００１８】
図２乃至図５は、加圧空気マニホールド３のハウジングＧの詳細図を示す。有利には、ステンレス鋼シート製のハウジングＧは、接続要素１０と、それに装着されたカバー１１とを備える。第２の接続ソケット６が、好ましくは溶接継手によってカバー１１に装着されている。接続要素１０は、第１及び第２の長辺を含むベースプレート１２と、第１の長辺から実質的に垂直に延在する接続プレート１３と、ベースプレート１２に実質的に平行に走るカバープレート１４とから形成され、上記カバープレート１４は、接続壁部１３の第３の長辺から延在する。接続壁部１３は、第１の接続ソケット４を接続する複数の第１の開口部１５を有する。参照番号１６は、ベースプレート１２に垂直に延在し、接続壁部１３とカバープレート１４とに接続された横壁部を示す。上に第２の開口部１８を有する締結部１７は、有利には、ベースプレート１２、接続壁部１３及びカバープレート１４に溶接された横壁部１６から一体構造として延在する。参照番号１９は、ベースプレート１２の第２の長辺から４５°の角度で延在する第１の支持体ウェブを示す。参照番号２０は、カバープレート１４の第４の長辺から４５°の角度で第１の支持体ウェブ１９へ向かって延在する第２の支持体ウェブを示す。参照番号２１は、横壁部１６から延在して第１の支持体ウェブ１９と第２の支持体ウェブ２０に隣接する第３の支持体ウェブを示す。支持体ウェブ１９、２０、２１は、第３の開口部２２を有する。
【００１９】
特に図４に示すように、カバー１１は第３の開口部２２に対応し、カバー１１が支持体ウェブ１９、２０、２１上に載っているときに、第２の開口部１８と第３の開口部２２とを通してリベットを挿入でき、リベット継手を形成できるように、第２の開口部１８に整列する第４の開口部２３を有する。
【００２０】
加圧空気マニホールド３は、以下のように簡単な方法で組み立てることができる。
【００２１】
最初に、第１の接続ソケット４が接続要素１０上に嵌合される。その後、永続的に弾性シーラントが支持体ウェブ１９、２０、２１上に施され、その後、カバー１１がその上に装着されて第３の開口部２２と第４の開口部２３が整列する。次に、カバー１１が気密リベットによって接続要素１０に接続される。このようにして確立された接続は気密である。締結部１７によって、圧力マニホールド３を再びリベット継手によって縦スパー１に接続できる。同様に、横スパー２と保持治具８とを、好ましくはリベット継手によって、縦スパー１に接続し、全体として、矩形のフレームが形成される。その後、フレーム内に散気装置ライン５を設置できる。４５°の管接続片７を、好ましくはステンレス鋼製の第２の接続ソケット６に任意の向きで固定することができる。したがって、それぞれ、好ましくは金属又はプラスチック製の４５°の管接続片７又は角片によって、供給ラインの第３の軸（図示せず）を第１の接続ソケット４の第１の軸に平行に又は垂直にセットすることができる。
【００２２】
図示のデバイスは、簡単な方法で組み立てることができる。デバイスは、特に汎用的である。
【符号の説明】
【００２３】
１  縦スパー
２  横スパー
３  加圧空気マニホールド
４  第１の接続ソケット
５  散気装置ライン
６  第２の接続ソケット
７  ４５°管接続片
８  保持治具
９  押さえ
１０  接続要素
１１  カバー
１２  ベースプレート
１３  接続壁部
１４  カバープレート
１５  第１の開口部
１６  横壁部
１７  締結部
１８  第２の開口部
１９  第１の支持体ウェブ
２０  第２の支持体ウェブ
２１  第３の支持体ウェブ
２２  第３の開口部
２３  第４の開口部
Ｇ  ハウジング
【図１】
2013522017.tif 000003
【図２】
2013522017.tif 000004
【図３】
2013522017.tif 000005
【図４】
2013522017.tif 000006
【図５】
2013522017.tif 000007
【手続補正書】
【提出日】平成24年9月19日(2012.9.19)
【手続補正１】
【補正対象書類名】明細書
【補正対象項目名】０００３
【補正方法】変更
【補正の内容】
【０００３】
既知のデバイスでは、フレームの縦スパーは、複数の横スパーにより相互接続されている。縦スパーの一端で、別の横スパーの形に構成された加圧空気マニホールドが装着されている。加圧空気マニホールドは、実質的に気密に構成され、その上に散気装置ラインを接続する複数の第１の接続ソケットと、空気供給ラインを接続する第２の接続ソケットとが提供されている。ハウジングは、第１の接続ソケットの第１の軸が縦スパーを含む平面にほぼ平行に走るようにフレームに固定されている。これは、第１の端部で第１の接続ソケットに接続された散気装置ラインが縦スパーにほぼ平行に走っていることを意味する。普通、有孔管から形成される散気装置ラインは、加圧空気マニホールドの反対側に提供され、別の横スパーの形で同様に構成された保持治具まで延在し、第２の端部でそこに固定される。
【手続補正２】
【補正対象書類名】明細書
【補正対象項目名】０００４
【補正方法】変更
【補正の内容】
【０００４】
従来のデバイスが処理槽の縁部に配置された場合、第２の接続ソケットに装着されている空気供給ラインが前記処理槽の壁部にほぼ垂直に処理槽から突き出るように、第２の接続ソケットの第２の軸は、第１の接続ソケットの第１の軸に実質的に垂直に延在する。デバイスが処理槽の中央に提供されている場合、空気供給ラインは、槽の底部に沿って這わせる。この例では、第２の接続ソケットは、その第２の軸が第１の接続ソケットの第１の軸に実質的に平行に走るように装着されている。したがって、従来のデバイスでは、加圧空気マニホールドの２つの異なる変形形態を準備する必要がある。
【手続補正３】
【補正対象書類名】明細書
【補正対象項目名】０００８
【補正方法】変更
【補正の内容】
【０００８】
本発明によれば、第２の接続ソケットの第２の軸は、平面と３０°乃至６０°の角度をなす。第２の接続ソケットの第２の軸は平面に対して斜めに走っているため、第２の接続ソケットに角度が付いた管接続片を平面に対して実質的に平行に、また実質的に垂直に接続することで空気供給ラインの接続が可能になる。したがって、同じデバイスを用いて、両方の変形形態を実施できる。この目的のために２つの異なる加圧空気マニホールドを生産する必要はない。提案されたデバイスは、汎用的で、簡単かつコスト効率が高い方法で生産できる。
【手続補正４】
【補正対象書類名】明細書
【補正対象項目名】００２１
【補正方法】変更
【補正の内容】
【００２１】
最初に、第１の接続ソケット４が接続要素１０上に嵌合される。その後、永続的に弾性シーラントが支持体ウェブ１９、２０、２１上に施され、その後、カバー１１がその上に装着されて第３の開口部２２と第４の開口部２３が整列する。次に、カバー１１が気密リベットによって接続要素１０に接続される。このようにして確立された接続は気密である。締結部１７によって、加圧空気マニホールド３を再びリベット継手によって縦スパー１に接続できる。同様に、横スパー２と保持治具８とを、好ましくはリベット継手によって、縦スパー１に接続し、全体として、矩形のフレームが形成される。その後、フレーム内に散気装置ライン５を設置できる。４５°の管接続片７を、好ましくはステンレス鋼製の第２の接続ソケット６に任意の向きで固定することができる。したがって、それぞれ、好ましくは金属又はプラスチック製の４５°の管接続片７又は角片によって、供給ラインの第３の軸（図示せず）を第１の接続ソケット４の第１の軸に平行に又は垂直にセットすることができる。
【国際調査報告】
2013522017.tif 000008
2013522017.tif 000009
2013522017.tif 000010
2013522017.tif 000011
2013522017.tif 000012
2013522017.tif 000013